(57)【特許請求の範囲】
【請求項１】
傾斜センサにより検出されたカメラ本体の傾斜角を示す第１の傾斜データを、撮影光学系を介して得られた画像の上下方向を示すデータとして検出するデータ検出手段と、前記データ検出手段の動作を一時停止させる検出動作一時停止手段とを備え、前記検出動作一時停止手段の一時停止により前記画像の上下方向を示すデータが前記第１の傾斜データとは異なる第２の傾斜データに変更可能であり、前記検出動作一時停止手段の一時停止が経過時間によらず維持され撮影動作の終了後に解除され、または前記検出動作一時停止手段の一時停止が撮影動作の終了後に維持され開始されてから所定時間経過後に解除されることを特徴とする電子スチルカメラの傾斜データ変更装置。
【請求項２】
前記第２の傾斜データがデフォルトの傾斜データであることを特徴とする請求項１に記載の傾斜データ変更装置。
【請求項３】
前記検出動作一時停止手段の一時停止が、前記データ検出手段を駆動するためのスイッチがオン状態で、実行および解除されることを特徴とする請求項１に記載の傾斜データ変更装置。
【発明の詳細な説明】
【０００１】
【発明の属する技術分野】
本発明は、カメラ本体の傾斜角を検出する傾斜センサを備えた電子スチルカメラに関する。
【０００２】
【従来の技術】
従来電子スチルカメラにおいて、撮影光学系を介して得られた画像をコンピュ−タのディスプレイ装置によって表示するときに、その画像の上下方向をカメラ本体の姿勢に合わせるため、傾斜センサを備えたものが知られている。すなわち傾斜センサによって、カメラ本体が縦位置に定められているのか、あるいは横位置に定められているのかが検出され、例えば縦位置に定められているとき、ディスプレイ装置では、縦長の画像が表示され、また縦位置であることを示す傾斜デ−タが画像デ−タとともに記録媒体に記録される。
【０００３】
【発明が解決しようとする課題】
カメラ本体を約４５度に傾斜させて撮影を行うとき、あるいは傾斜状態でカメラ本体を移動させながら撮影を行うとき、傾斜センサによるカメラ本体の姿勢検出に誤りが生じ、本来縦位置として検出すべきときに横位置であると検出されたりするおそれがある。
【０００４】
本発明は、傾斜センサによる誤検出が生じやすい場合に、その誤検出を容易に回避することができる傾斜デ−タ変更装置を提供することを目的としている。
【０００５】
【課題を解決するための手段】
本発明に係る電子スチルカメラの傾斜デ−タ変更装置は、傾斜センサにより検出されたカメラ本体の傾斜角を示す第１の傾斜デ−タを、撮影光学系を介して得られた画像の上下方向を示すデ−タとして検出するデ−タ検出手段と、画像の上下方向を示すデ−タを、第１の傾斜デ−タとは異なる第２の傾斜デ−タに変更可能なデ−タ変更手段とを備えたことを特徴としている。
【０００６】
デ−タ変更手段は例えば、デ−タ検出手段の動作を一時停止させる検出動作一時停止手段を備える。この場合、好ましくは、第２の傾斜デ−タはデフォルトの傾斜デ−タである。検出動作一時停止手段の一時停止は、デ−タ検出手段を駆動するためのスイッチがオン状態で、実行および解除されてもよい。また検出動作一時停止手段の一時停止は、電子スチルカメラの撮影動作の終了により解除されてもよい。さらに、検出動作一時停止手段の一時停止は、開始されてから所定時間経過後に解除されてもよい。
【０００７】
デ−タ変更手段は、第１の傾斜デ−タを修正することによって第２の傾斜デ−タを得るように構成されてもよい。この場合、好ましくは、第１または第２の傾斜デ−タと画像を記録媒体に記録する記録手段と、記録媒体への記録動作の前に、第１または第２の傾斜デ−タが適当であるか否かを確認するためのメッセ−ジを表示する確認メッセ−ジ表示手段とを備える。また傾斜デ−タ変更装置は、第２の傾斜デ−タをさらに修正可能なデ−タ再修正手段を備えていてもよい。
【０００８】
【発明の実施の形態】
以下、本発明の実施形態を図面を参照して説明する。
図１は、本発明の第１の実施形態を適用した電子スチルカメラを後方から見た状態を示す斜視図である。
【０００９】
この電子スチルカメラは一眼レフカメラであり、交換レンズ１１はカメラ本体９０に着脱自在に取り付けられる。カメラ本体９０の上部の中央には光学ファインダ９１が設けられ、背面９２の略中央には液晶パネル（液晶表示素子）４６が設けられている。液晶パネル４６では、撮影光学系である交換レンズ１１によって得られた画像が動画として表示され、また撮影動作によってメモリ（図示せず）に格納された静止画像が表示可能である。液晶パネル４６の横には、モ−ド設定スイッチ９５が設けられている。モ−ド設定スイッチ９５は各種の動作モ−ドを設定するために設けられ、図示実施形態ではジョグダイアルである。
【００１０】
カメラ本体９０を背面９２側から見たとき、カメラ本体９０の上部の右側にはシャッタ釦９３と状態表示装置５５と検出動作一時停止スイッチ９７が設けられている。状態表示装置５５は液晶表示素子から構成され、この液晶表示素子には電子スチルカメラの種々の設定状態が文字または記号として表示される。検出動作一時停止スイッチ９７は、後述するように、傾斜センサ（図示せず）からの出力信号を検出して記録する位置情報検出記録モ−ドを、一時的に停止させるために設けられる。
【００１１】
傾斜センサはカメラ本体９０内に設けられ、カメラ本体９０が横位置すなわち図１に示すような状態に置かれているのか、倒立した状態に置かれているのか、あるいは縦位置、すなわち図１に示す状態から交換レンズ１１の光軸周りに約９０度だけ回転させた状態にあるのかを検出することができ、これらの状態に応じた信号を出力する。傾斜センサの構成は従来公知であるので、その説明を省略する。
【００１２】
カメラ本体９０の側面にはカードスロット９６が形成されている。カードスロット９６はＰＣカード（メモリカード）をカメラ本体９０内に挿入するために設けられ、カードスロット９６の内部にはＰＣカードが装着されるカードコネクタ（図示せず）が設けられている。
【００１３】
図２は電子スチルカメラの主に電気的構成を示すブロック図である。
交換レンズ１１はマウントピン１２、１３を介して、カメラ本体９０（図１）内に設けられた電気回路と電気的に接続される。交換レンズ１１のレンズ鏡筒内には前群レンズ１４と後群レンズ１５が設けられ、これらのレンズ１４、１５の間には絞り１６が配設されている。各レンズ１４、１５はレンズ制御回路１７の制御によって光軸方向に変位し、焦点調節が行なわれる。レンズ制御回路１７は、カメラ本体内に設けられたシステムコントローラ３１からマウントピン１２を介して送られてくる制御信号に従って動作する。絞り１６は、カメラ本体内に設けられた絞り駆動回路３２からマウントピン１３を介して送られてくる制御信号に従って動作し、絞り１６の開度が調節される。絞り駆動回路３２はシステムコントローラ３１によって制御される。
【００１４】
カメラ本体内において、レンズ１４、１５の光軸上には、ハーフミラー２１が設けられている。ハーフミラー２１はレンズ１４、１５の光軸に対して約４５度だけ傾斜した位置に固定されている。ハーフミラー２１の上方にはピント板２２が設けられ、ピント板２２の上方にはペンタプリズム２３が設けられている。ペンタプリズム２３の後方にはファインダの接眼レンズ２４が配設されている。したがって、レンズ１４、１５から取込まれた光はハーフミラー２１によって反射され、ペンタプリズム２３側に導かれ、接眼レンズ２４を介して被写体像が観察される。
【００１５】
ハーフミラー２１の後方には、赤外カットフィルタ２６と光学ローパスフィルタ２７が設けられている。光学ローパスフィルタ２７の後方にはＣＣＤ（撮像素子）３３が設けられている。したがって、レンズ１４、１５から取り込まれた光はハーフミラー２１を透過してＣＣＤ３３の受光面に照射される。すなわち、受光面にはレンズ１４、１５によって得られた画像が形成され、ＣＣＤ３３では、画像に対応した撮像信号が生成される。
【００１６】
システムコントローラ３１にはパルス信号発生回路（ＰＰＧ）３６が接続され、パルス信号発生回路３６はシステムコントローラ３１の制御によって種々のパルス信号を発生する。これらのパルス信号に基づいて、ＣＣＤ駆動回路３７とＡ／Ｄ変換器３８と画像信号処理回路３９とが駆動され、ＣＣＤ駆動回路３７によりＣＣＤ３３の動作が制御される。すなわちＣＣＤ３３から読み出された撮像信号は、Ａ／Ｄ変換器３８によってデジタル信号に変換され、画像信号処理回路３９において、所定の画像処理を施される。画像信号処理回路３９には、１つの画像に対応したデジタルの画像データを格納するために十分な容量を有するメモリ４０が接続されている。
【００１７】
また画像信号処理回路３９には、モニタインターフェース４１とカードインターフェース４２とが接続されている。これらのインターフェース４１、４２はシステムコントローラ３１によって制御される。
【００１８】
モニタインターフェース４１には、液晶駆動回路４４を介してバックライト４５と液晶パネル４６が接続されている。液晶パネル４６では、前述したように、ＣＣＤ３３から読み出された撮像信号に基づいて液晶駆動回路４４が制御されることにより、交換レンズ１１によって得られた画像が動画として表示され、また、メモリ４０から読み出された画像データに基づいて、液晶駆動回路４４が制御され、静止画像が表示される。カードインターフェース４２にはカードコネクタ４７が接続され、カードコネクタ４７にはＰＣカード４３が装着可能である。
【００１９】
システムコントローラ３１には、ＡＦセンサ５１と測光センサ５２が接続されている。ＡＦセンサ５１は従来公知の構成を有し、ＡＦセンサ５１によって、レンズ１４、１５の焦点調節状態が測定される。測光センサ５２によって、露光時の絞り１６の開度とＣＣＤ３３における電荷蓄積時間（露光時間）とを決定するための測光が行なわれる。
【００２０】
またシステムコントローラ３１には、測光スイッチ５３とレリーズスイッチ５４と状態表示装置５５が接続されている。測光スイッチ５３はシャッタ釦９３を半押しすることによってオン状態となり、これにより、測光センサ５２によって測光が行なわれる。レリーズスイッチ５４はシャッタ釦９３を全押しすることによってオン状態となり、これにより、ＣＣＤ３３の撮像動作が開始され、ＣＣＤ３３には画像に対応した撮像信号が発生する。
【００２１】
さらにシステムコント−ラ３１には、モ−ド設定スイッチ９５と検出動作一時停止スイッチ９７が接続されている。モ−ド設定スイッチ９５は上述したようにジョグダイアルであり、動作モ−ドに応じた回転位置に定めて押すことにより、その動作モ−ドが設定される。動作モ−ドとしては例えば、カメラ本体が横位置と縦位置のいずれにあるのかを検出して、その情報を記録する、位置情報検出記録モ−ドがある。位置情報検出記録モ−ドの動作は、検出動作一時停止スイッチ９７を押すことによって、一時的に停止させることが可能である。
【００２２】
またシステムコントローラ３１には、傾斜センサ８１が接続されており、傾斜センサ８１から出力される傾斜信号に基づいて、カメラ本体９０が横位置あるいは縦位置のいずれに定められているかが判定される。
【００２３】
図３および図４は、撮影動作を行うためのプログラムである撮影動作制御ル−チンのフロ−チャ−トである。このプログラムはシステムコントロ−ラ３１において実行される。
【００２４】
ステップ１０１では、位置情報検出記録モ−ドの一時停止に関するパラメ−タＰＳが０に定められる。
【００２５】
ステップ１０２では、測光スイッチ５３がオン状態になったか否かが判定される。ステップ１０２は測光スイッチ５３がオフ状態である間、繰り返し実行され、測光スイッチ５３がオン状態になるとステップ１０３へ進み、測光および露出演算が実行される。すなわち、絞り１６の開度とシャッタスピ−ドが決定される。ステップ１０４ではレリ−ズスイッチ５４がオン状態になったか否かが判定される。レリ−ズスイッチ５４がオフ状態であるときステップ１０２へ戻るが、レリ−ズスイッチ５４がオン状態になるとステップ１０５へ進む。
【００２６】
ステップ１０５では、位置情報検出記録モ−ドがオン状態であるか否かが判定される。位置情報検出記録モ−ドのオン／オフ状態は、モ−ド設定スイッチ９５を操作することによって定められる。位置情報検出記録モ−ドがオン状態であるとき、ステップ１０６へ進み、パラメ−タＰＳが０であるか否かが判定される。パラメ−タＰＳが０であるとき位置情報検出記録モ−ドは継続して実行され、パラメ−タＰＳが０でないとき位置情報検出記録モ−ドは一時停止される。なおパラメ−タＰＳは通常０であるが、検出動作一時停止スイッチ９７が押されたとき、後述する位置情報検出記録一時停止ル−チンの作用により１に定められる。
【００２７】
ステップ１０６においてパラメ−タＰＳが０であると判定されたとき、位置情報検出記録モ−ドを継続させるべく、ステップ１０７へ進む。ステップ１０７ではカメラ本体９０の縦横位置検出が行われ、傾斜センサ８１により検出されたカメラ本体９０の傾斜角を示す第１の傾斜デ−タが、交換レンズ１１（撮影光学系）を介して得られた画像の上下方向を示すデ−タとして検出されてステップ１０８へ移行する。これに対し、ステップ１０５において位置情報検出記録モ−ドがオフ状態であると判定されたとき、ステップ１０６、１０７はスキップされる。またステップ１０６においてパラメ−タＰＳが０ではないと判定されたとき、すなわち位置情報検出記録モ−ドを一時停止するとき、ステップ１０７がスキップされる。
【００２８】
ステップ１０８では、ＣＣＤ駆動回路３７を介して、ＣＣＤ３３における電子シャッタ動作すなわち露出が開始される。ステップ１０９では、露出が終了したか否か、すなわちステップ１０３において決定されたシャッタスピ−ドに対応した時間だけＣＣＤ３３が露光されたか否かが判定される。ステップ１０９において、露出が終了したことが確認されると、ステップ１１０へ進み、ＣＣＤ３３において発生した画像信号がＣＣＤ３３から読み出され、デジタルの画像デ−タに変換されてメモリ４０に格納される。
【００２９】
ステップ１１１では、位置情報検出記録モ−ドがオン状態であるか否かが判定される。位置情報検出記録モ−ドがオン状態であるとき、ステップ１１２へ進み、パラメ−タＰＳが０であるか否かが判定される。パラメ−タＰＳが０であるとき、ステップ１１３、１１４が実行される。ステップ１１３では、メモリ４０から読み出された画像デ−タに対して回転処理が施され、傾斜センサ８１によって検出された第１の傾斜デ−タに基づいた角度だけ、画像がその中心の回りに回転変位せしめられてＬＣＤ４６に表示される。例えば、カメラ本体９０を縦位置に定めて撮影が行われた場合、ステップ１１３の処理により、縦長の画像がＬＣＤ４６によって表示される。ステップ１１４では、画像デ−タと第１の傾斜デ−タがＰＣカ−ド４３に記録され、このプログラムは終了する。
【００３０】
これに対し、ステップ１１２においてパラメ−タＰＳが０でないと判定されたとき、ステップ１１５、１１６が実行される。ステップ１１５では、傾斜センサ８１の出力信号にかかわらず、メモリ４０から読み出された画像デ−タに基づいて画像がそのままＬＣＤ４６に表示される。すなわち、傾斜センサ８１がカメラ本体９０が縦位置にあることを示す信号を出力していたとしても、画像デ−タに回転処理は施されない。ステップ１１６では、画像デ−タとデフォルトの傾斜デ−タ、すなわちカメラ本体９０の傾斜角が０であることを示す第２の傾斜デ−タとがＰＣカ−ド４３に記録され、このプログラムは終了する。このようにパラメ−タＰＳが０でないとき、デフォルトの傾斜デ−タが画像の上下方向を示すデ−タとして記録される。
【００３１】
図５は、位置情報検出記録モ−ドを一時停止させるためのプログラムである位置情報検出記録一時停止ル−チンのフロ−チャ−トである。このプログラムはシステムコントロ−ラ３１において実行され、例えば１０msec毎に割り込み処理される。
【００３２】
ステップ２０１では、検出動作一時停止スイッチ９７がオン状態に定められているか否かが判定される。検出動作一時停止スイッチ９７がオフ状態であるとき、ステップ２０８へ進み、ステップ２０２〜２０７は実行されない。これに対して検出動作一時停止スイッチ９７がオン状態であるとき、ステップ２０２においてパラメ−タＰＳが１に定められる。次いでステップ２０３では、一時停止している時間を計測するためのタイマ−が所定時間にセットされ、ステップ２０４では、タイマ−がスタ−トする。
【００３３】
ステップ２０５では、タイマ−のスタ−トから、ステップ２０３においてセットされた所定時間（例えば１０秒）が経過したか否かが判定される。まだ所定時間が経過していないとき、ステップ２０６においてレリ−ズスイッチ５４がオン状態であるか否かが判定され、オン状態でないとき、ステップ２０５が再び実行される。すなわち所定時間が経過しておらず、かつレリ−ズスイッチ５４がオン状態でないとき、ステップ２０５、２０６が繰り返し実行される。
【００３４】
ステップ２０５、２０６の実行の間にレリ−ズスイッチ５４がオン状態に切り換えられると、ステップ２０７へ進み、撮影動作が終了したか否かが判定される。すなわち図３、４の撮影動作制御ル−チンが終了しているか否かが判定される。ステップ２０７において、撮影動作が終了したことが確認されると、ステップ２０８においてパラメ−タＰＳが０に定められ、このプログラムは終了する。
【００３５】
これに対し、ステップ２０５、２０６の実行の間に所定時間が経過すると、すなわちパラメ−タＰＳが１に定められてから所定時間が経過したことが検出されると、ステップ２０５からステップ２０８へ移り、パラメ−タＰＳが０に定められた後、このプログラムは終了する。
【００３６】
このように図５の位置情報検出記録一時停止ル−チンでは、検出動作一時停止スイッチ９７がオフ状態であるとき、ステップ２０８においてパラメ−タＰＳは０に定められる。これに対し、検出動作一時停止スイッチ９７がオン状態であるとき、ステップ２０２においてパラメ−タＰＳが１にセットされ、その後所定時間が経過する前は、パラメ−タＰＳは１を維持している。したがってパラメ−タＰＳが１に定められてから所定時間を経過するまでの間、撮影動作制御ル−チン（図３、４）では、縦横位置検出（ステップ１０７）は行われず、またステップ１１５、１１６が実行されて、画像は回転処理を施されない。
【００３７】
パラメ−タＰＳが１にセットされてから所定時間が経過すると、ステップ２０８においてパラメ−タＰＳが０にリセットされ、一時停止が解除される。したがって撮影動作制御ル−チンでは、縦横位置検出が行われ、ステップ１１３、１１４が実行されて、画像は回転処理を施される。
【００３８】
一方、パラメ−タＰＳが１にセットされてから所定時間が経過する前に撮影  動作が終了すると、ステップ２０８においてパラメ−タＰＳが０にリセットされるので、その後、撮影動作が実行されると、図３、４に示す撮影動作制御ル−チンでは、縦横位置検出が行われ、ステップ１１３、１１４が実行される。
【００３９】
以上のように本実施形態は、位置情報検出記録モ−ドがオン状態であるときに、位置情報検出記録モ−ドの一時停止を実行あるいは解除し、カメラ本体９０の縦横位置検出による第１の傾斜デ−タあるいはデフォルトの第２の傾斜デ−タを用いて、画像を表示し、記録するように構成されている。したがって、例えばカメラ本体９０を約４５度に傾斜させて撮影を行う場合のように、傾斜センサ８１の出力信号が不安定になって誤信号が出力されやすい場合、検出動作一時停止スイッチ９７を押すことによって、傾斜センサ８１の出力信号の検出を一時停止して、誤信号に基づいて誤った処理の実行を防止できる。また本実施形態では、検出動作一時停止スイッチ９７がオン状態に切り換えられてから所定時間が経過すると位置情報検出記録モ−ドが自動的に解除されるので、撮影動作を行わなかった場合に検出動作一時停止スイッチ９７をオフ状態に切り換える必要がない。
【００４０】
図６は、第２の実施形態における位置情報検出記録一時停止ル−チンのフロ−チャ−トである。このプログラムも第１の実施形態と同様に、例えば１０msec毎に割り込み処理される。第２の実施形態において、その他の構成は第１の実施形態と同じである。
【００４１】
ステップ３０１では、検出動作一時停止スイッチ９７がオン状態に定められているか否かが判定される。検出動作一時停止スイッチ９７がオフ状態であるとき、ステップ３０５へ進み、ステップ３０２〜３０４は実行されない。これに対して検出動作一時停止スイッチ９７がオン状態であるとき、ステップ３０２においてパラメ−タＰＳが１に定められる。次いでステップ３０３では、レリ−ズスイッチ５４がオン状態であるか否かが判定される。レリ−ズスイッチ５４がオン状態でないとき、ステップ３０３が繰り返し実行され、レリ−ズスイッチ５４がオン状態に切り換えられると、ステップ３０４へ進み、撮影動作が終了したか否かが判定される。ステップ３０４において、撮影動作が終了したことが確認されると、ステップ３０５においてパラメ−タＰＳが０に定められ、このプログラムは終了する。
【００４２】
このように本実施形態の位置情報検出記録一時停止ル−チンでは、検出動作一時停止スイッチ９７がオン状態である場合、撮影動作が終了することによってパラメ−タＰＳが０にリセットされ、位置情報検出記録モ−ドの一時停止が解除される。すなわち第２の実施形態では、第１の実施形態のように、所定時間の経過によって一時停止が自動的に解除されるのではなく、検出動作一時停止スイッチ９７が一旦オン状態に定められると、撮影動作が終了するまでは位置情報検出記録モ−ドは解除されない。したがって、シャッタチャンスの到来が不定の時、すなわち検出動作一時停止スイッチ９７がオン状態に定められてからレリ−ズスイッチ５４がオンされて撮影動作が開始されるまでの時期が不定である時、撮影動作前に一時停止が解除されて傾斜センサ８１の誤検出の状態で撮影が行われてしまうことが防止される。
【００４３】
図７は、第３の実施形態における位置情報検出記録一時停止ル−チンのフロ−チャ−トである。このプログラムは、例えば１０msec毎に割り込み処理される。第３の実施形態において、その他の構成は第１の実施形態と同じである。
【００４４】
ステップ４０１〜４０６、４０８の内容は図５のステップ２０１〜２０６、２０８と同じである。
【００４５】
ステップ４０５、４０６の実行の間にレリ−ズスイッチ５４がオン状態に切り換えられると、ステップ４０７へ進み、撮影動作が終了したか否かが判定される。ステップ４０７において、撮影動作が終了したと判定されると、ステップ４０５へ戻る。すなわち撮影動作が終了してもステップ４０４におけるタイマ−スタ−トから所定時間が経過していなければ、ステップ４０５〜４０６のル−プが繰り返し実行され、所定時間が経過して初めてステップ４０８へ移行する。
【００４６】
このように第３の実施形態では、位置情報検出記録一時停止スイッチ９７がオン状態であることが検出されてから所定時間が経過するまでは、撮影動作が終了したとしても位置情報検出記録モ−ドの一時停止は維持される。したがって、比較的短い間隔（インタ−バル）で撮影を行う場合に、撮影毎に位置情報検出記録一時停止スイッチ９７をセットする必要がなく、最終的に位置情報検出記録モ−ドの一時停止が解除されるので、最後の撮影後の手動による解除を省略でき、解除忘れを回避することができる。
【００４７】
図８は、第４の実施形態における電子スチルカメラの主に電気的構成を示すブロック図である。図２に示される第１の実施形態との差異は、検出動作一時停止スイッチ９７に替えて、回転修正スイッチ９８が設けられている点であり、その他は第１の実施形態と同じである。なお回転修正スイッチ９８はカメラ本体９０の背面において検出動作一時停止スイッチ９７（図１参照）と同じ位置に設けられる。
【００４８】
図９は第４の実施形態における撮影動作制御ル−チンのフロ−チャ−トである。本実施形態では、位置情報検出記録一時停止ル−チンは設けられない。
【００４９】
ステップ５０１では、測光スイッチ５３がオン状態になったか否かが判定され、測光スイッチ５３がオン状態になるとステップ５０２において、測光および露出演算が実行され、絞り１６の開度とシャッタスピ−ドが決定される。ステップ５０３ではレリ−ズスイッチ５４がオン状態になったか否かが判定される。レリ−ズスイッチ５４がオフ状態であるときステップ５０１へ戻るが、レリ−ズスイッチ５４がオン状態になるとステップ５０４へ進む。
【００５０】
ステップ５０４では、傾斜センサ８１の出力信号に基づいて、カメラ本体９０の傾斜角を示す第１の傾斜デ−タすなわち角度情報Ａ〔０°／９０°／１８０°／−９０°〕が得られる。このように角度情報Ａは４通りあるので、例えば２ビットのデ−タとして表すことができるが、従来公知の種々の方式を利用することができる。
【００５１】
ステップ５０５では、ＣＣＤ３３の露出が開始される。ステップ５０６では、露出が終了したか否かが判定される。ステップ５０６において、露出が終了したことが確認されると、ステップ５０７へ進み、ＣＣＤ３３において発生した画像信号がＣＣＤ３３から読み出され、デジタルの画像デ−タに変換されてメモリ４０に格納される。
【００５２】
ステップ５０８では、メモリ４０から読み出された画像デ−タに対して回転処理が施され、傾斜センサ８１によって検出された角度情報Ａだけ、画像がその中心の回りに回転変位せしめられてＬＣＤ４６に表示される。ステップ５０９では、ステップ５０８において実行された回転処理が正しいことを確認すべき旨のメッセ−ジがＬＣＤ４６によって表示される。ステップ５１０では、回転修正スイッチ９８がオン状態に定められたか否かが判定される。回転修正スイッチ９８がオン状態のときステップ５１１が実行され、モ−ド設定スイッチ９５によって選択された修正回転角が読み込まれる。すなわちユ−ザは、ステップ５０８において表示された画像とステップ５０９において表示されたメッセ−ジを見て回転処理の適否を判断し、回転修正スイッチ９８を押してオン状態に切り換えた後、モ−ド設定スイッチ９５を回転させて修正回転角を選択することができる。
【００５３】
ステップ５１２では、ステップ５１１において選択された修正回転角を確定すべきであるか否かが判定される。ジョグダイアルであるモ−ド設定スイッチ９５を押すことによって、修正回転角が確定される。確定されないときはステップ５１１が再び実行され、修正回転角が変更される。このようにして修正回転角が確定されると、これに基づいて、ステップ５１３において角度情報Ａが修正されて第２の傾斜デ−タが得られる。そしてステップ５０８へ戻り、修正された角度情報Ａ（第２の傾斜デ−タ）に基づいて画像デ−タが回転処理され、ＬＣＤ４６において画像が表示される。
【００５４】
次いでステップ５０９、５１０が実行され、ステップ５１０において回転修正スイッチ９８がオフ状態であると判定されたとき、ステップ５１４へ進み、そのとき選択されている角度情報Ａを確定すべきであるか否かが判定される。モ−ド設定スイッチ９５が押されるまでステップ５１４、５１０が繰り返し実行され、その間に回転修正スイッチ９８がオン状態に切り換えられるとステップ５１１が再び実行されるが、モ−ド設定スイッチ９５が押され、ステップ５１４において角度情報Ａを確定することが確認されると、ステップ５１５が実行され、角度情報Ａ（第１あるいは第２の傾斜デ−タ）と画像デ−タがＰＣカ−ド４３に記録され、このプログラムは終了する。
【００５５】
以上のように本実施形態によれば、ＬＣＤ４６に表示された画像を見て画像の上下方向を確認し、必要に応じて、画像の回転角度を修正することができる。したがって、傾斜センサ８１の検出デ−タが誤っていたとしても、ＰＣカ−ド４３には常に正確な位置情報を記録することができる。
【００５６】
なお上記実施形態は、モ−ド設定スイッチ９５によって位置情報検出モ−ドをセットするように構成されているが、本発明は、モ−ド設定スイッチ９５を操作することなく、通常の状態で位置情報検出モ−ドを実行するように構成された電子スチルカメラにも適用できる。
【００５７】
【発明の効果】
以上のように本発明によれば、傾斜センサによる誤検出が生じやすい場合に、その誤検出を容易に回避することができる。
【図面の簡単な説明】
【図１】図１は、本発明の第１の実施形態を適用した電子スチルカメラを後方から見た状態を示す斜視図である。
【図２】電子スチルカメラの主に電気的構成を示すブロック図である。
【図３】撮影動作制御ル−チンのフロ−チャ−トの前半部分である。
【図４】撮影動作制御ル−チンのフロ−チャ−トの後半部分である。
【図５】第１の実施形態における位置情報検出記録一時停止ル−チンのフロ−チャ−トである。
【図６】第２の実施形態における位置情報検出記録一時停止ル−チンのフロ−チャ−トである。
【図７】第３の実施形態における位置情報検出記録一時停止ル−チンのフロ−チャ−トである。
【図８】第４の実施形態における電子スチルカメラの主に電気的構成を示すブロック図である。
【図９】第４の実施形態における撮影動作制御ル−チンのフロ−チャ−トである。
【符号の説明】
１１  交換レンズ（撮影光学系）
８１  傾斜センサ
９０  カメラ本体
【図１】
0004131018.tif 000002
【図２】
0004131018.tif 000003
【図３】
0004131018.tif 000004
【図４】
0004131018.tif 000005
【図５】
0004131018.tif 000006
【図６】
0004131018.tif 000007
【図７】
0004131018.tif 000008
【図８】
0004131018.tif 000009
【図９】
0004131018.tif 000010